(57)【要約】【課題】不要な電力消費を抑制する電源制御を行える情報再生装置（５０）を提供する。【解決手段】再生信号出力端子（５０ａ）に音声信号（ＭＤ１）を供給する音声出力部（５０ｂ）と、音声信号（ＭＤ１）の無音区間を検出する無音区間検出部（２０３）と、この無音区間において、出力端子（５０ａ）にスピーカ（５１ｂ，５１ｃ）が接続されている場合に、そのスピーカ（５１ｂ，５１ｃ）からの音声信号を、出力端子（５０ａ）を介して収録する収録部（２０７）と、装置自体の動作を制御する制御部（２０８）と、装置に電源を供給する電源部（２０１）と、を備え、制御部（２０８）は、収録した音声信号の音圧レベルを予め設定されたしきい値と比較し、その比較結果に基づいて電源部（２０１）の電源供給を制御する。【選択図】図２
2009238354.tif 000002
【特許請求の範囲】
【請求項１】
再生音声信号を出力する出力端子と、
前記出力端子に再生音声信号を供給する音声出力部と、
前記再生音声信号における無音区間を検出する無音区間検出部と、
前記無音区間検出部により検出された前記無音区間において、前記出力端子に電気音響変換器が接続されている場合に、前記電気音響変換器からの音声信号を、前記出力端子を介して収録する収録部と、
当該情報再生装置の動作を制御する制御部と、
当該情報再生装置に電源を供給する電源部と、を備え、
前記制御部は、
前記収録した音声信号の音圧レベルを予め設定されたしきい値と比較し、その比較結果に基づいて前記電源部の電源供給を制御することを特徴とする情報再生装置。
【請求項２】
前記収録部は、前記無音区間検出部により検出された前記無音区間において、前記出力端子に電気音響変換器が接続されていない場合に、信号強度のレベルがゼロの無音信号を収録することを特徴とする請求項１記載の情報再生装置。
【請求項３】
前記制御部は、前記収録した音声信号の高音域の音圧レベルを前記しきい値と比較することを特徴とする請求項１記載の情報再生装置。
【発明の詳細な説明】
【技術分野】
【０００１】
本発明は情報再生装置に係り、特に、接続されたヘッドホンで音声を聴くことができる情報再生装置に関する。
【背景技術】
【０００２】
デジタルオーディオ／ビデオプレーヤや光ディスク再生装置などの情報再生装置は、小型軽量化が進んで携帯が容易となった。
そして、このような情報再生装置とそれに接続したヘッドホンとを用いて、屋外でも音楽情報や画像情報などを楽しむ生活スタイルが定着した。
特に携帯型の情報再生装置は、通常、電池で駆動されるので、長時間使用できるようにするための電源制御は重要である。
【０００３】
そのため、不使用時に無駄な動作をしないようヘッドホンを接続した情報再生装置の電源を制御する技術が検討されてきている。
具体的には、ヘッドホンが頭部に装着されているか否かを検出し、否である場合を不使用時として電源を切断したり電力消費を抑えるようにする技術であり、その例が特許文献１や特許文献２に記載されている。
【０００４】
【特許文献１】特開平７−２４０９８９号公報
【特許文献２】特開平８−２９４１９１号公報
【発明の開示】
【発明が解決しようとする課題】
【０００５】
特許文献１には、ヘッドホンが頭部に装着された際の頭部への押圧力を利用して電源スイッチのＯＮ／ＯＦＦを行う技術が開示されている。
この技術は、スイッチを動作させるためにある程度以上の押圧力を必要とするので、使用者が快適な装着感を得られない虞がある、という点で改善が望まれる。
【０００６】
特許文献２には、頭部に装着された際のヘッドバンドの偏位により電源をＯＮ／ＯＦＦする技術が開示されている。
この技術は、ヘッドバンドの構造が複雑になり組み立て工数が増える、という点で改善が望まれる。
【０００７】
また、これらの特許文献１及び２に記載された技術は、専用のヘッドホンを必要とするものであるので、汎用ヘッドホンを用いても、不要な電力消費を抑制するように電源管理がなされる情報再生装置が望まれている。
【０００８】
そこで、本発明が解決しようとする課題は、汎用のヘッドホンを用いて音声を聴取することができる情報再生装置において、不要な電力消費を抑制するように電源管理がなされる情報再生装置を提供することにある。
【課題を解決するための手段】
【０００９】
上記の課題を解決するために、本願発明は手段として次の１）〜３）の構成を有する。
１）  再生音声信号を出力する出力端子（５０ａ）と、前記出力端子（５０ａ）に再生音声信号（ＭＤ１）を供給する音声出力部（５０ｂ）と、前記再生音声信号（ＭＤ１）における無音区間を検出する無音区間検出部（２０３）と、前記無音区間検出部（２０３）により検出された前記無音区間において、前記出力端子（５０ａ）に電気音響変換器（５１ｂ，５１ｃ）が接続されている場合に、前記電気音響変換器（５１ｂ，５１ｃ）からの音声信号を、前記出力端子（５０ａ）を介して収録する収録部（２０７）と、当該情報再生装置（５０）の動作を制御する制御部（２０８）と、当該情報再生装置（５０）に電源を供給する電源部（２０１）と、を備え、前記制御部（２０８）は、前記収録した音声信号の音圧レベルを予め設定されたしきい値と比較し、その比較結果に基づいて前記電源部（２０１）の電源供給を制御することを特徴とする情報再生装置（５０）である。
２）  前記収録部（２０７）は、前記無音区間検出部（２０３）により検出された前記無音区間において、前記出力端子（５０ａ）に電気音響変換器（５１ｂ，５１ｃ）が接続されていない場合に、信号強度のレベルがゼロの無音信号を収録することを特徴とする１）に記載の情報再生装置（５０）である。
３）  前記制御部（２０８）は、前記収録した音声信号の高音域の音圧レベルを前記しきい値と比較することを特徴とする１）に記載の情報再生装置（５０）である。
【発明の効果】
【００１０】
本発明によれば、ヘッドホンを用いて音声を聴くことができる情報再生装置において、汎用のヘッドホンを用いても、不要な電力消費を抑制するように電源管理がなされる、という効果を奏する。
【発明を実施するための最良の形態】
【００１１】
本発明の実施の形態を、好ましい実施例により図１〜図４を用いて説明する。
【００１２】
本発明の情報再生装置の実施例として携帯音楽再生装置５０を説明する。
図１は、実施例の携帯音楽再生装置５０と、これに接続されたヘッドホン５１とを示している。
具体的には、携帯音楽再生装置５０に備えられた出力端子５０ａに、ヘッドホン５１のプラグ５１ａが接続されて、携帯音楽再生装置５０から出力された音声信号をヘッドホン５０で聴取することができる。
【００１３】
図１において、ヘッドホン５１は、２つのスピーカ部５１ｂ，５１ｃを有するインナーイヤータイプである。ヘッドホン５１は、これに限らず、ヘッドバンドを備えたオーバーヘッドタイプであってもよく、スピーカ部を１つ有するモノラルタイプのものでもよい。
【００１４】
図２は、この携帯音楽再生装置５０の構成を説明するためのブロック図である。
この携帯音楽再生装置５０は、電源部２０１と、記憶部２０２と、読み取り部２０３と、復号部２０４と、Ｄ／Ａ変換部２０５と、制御部２０８と、入力操作部２０９と、記憶部２０７ａを有する収録部２０７と、モード切換部（スイッチ）２０６と、Ａ／Ｄ変換部２１０と、を有して構成されている。
ここで、記憶部２０２，読みとり部２０３，復号部２０４，及びＤ／Ａ変換部２０５を含んで音声出力部５０ｂと称する。
【００１５】
また、この携帯音楽再生装置５０は、音楽再生モードと、音声収録モードと、の２つのモードで動作するように構成されている。
そのモードの切換は、制御部２０８の制御により自動的に行われる。
【００１６】
この構成の詳細を動作に沿って具体的に説明する。
【００１７】
まず、記憶部２０２には、図示しない入力端子を介して外部から供給された楽曲データが記憶される。この楽曲データは、非圧縮のデジタルデータ、又はＭＰ３（ＭＰＥＧ  ＡＵＤＩＯ  ＬＡＹＥＲ−３）などの圧縮音声ファイルフォーマットで圧縮されたデジタルデータである。
そして、楽曲再生前には、制御部２０８の制御のもと、モード切換部２０６により音楽再生モード（図２に示すスイッチが下側の状態）とされている。
【００１８】
ここで、入力操作部２０９を介して、ユーザにより、再生する楽曲の指定及びその楽曲の再生指示が入力されると、制御部２０８は、読み取り部２０３、復号部２０４、及びモード切換部２０６に対して、記憶部２０２に記憶された楽曲データの中からユーザにより指定された楽曲データＭＤ１を読み取り、さらに復号及びＤ／Ａ変換を経て、アナログ音声信号として出力端子５０ａから出力するように指示する。
【００１９】
指定された楽曲の再生が終了すると、制御部２０８は、モード切換部２０６に対して音楽収録モード（図２に示すスイッチが上側の状態）への切換を指示する。
【００２０】
図３のフローチャートを用いて、この音楽収録モードへの切換と、音楽収録モードの動作について説明する。
【００２１】
指定された楽曲の再生が終了すると、制御部２０８は、まず、所定の時間の無音区間を挿入する。この無音区間の挿入は、記憶部２０２から無音データを読み取り部２０３に対して出力するようにして行われる。所定の時間は、例えば２秒である。
【００２２】
読み取り部２０３において、この無音区間を検出する（Ｓ３０１）。
制御部２０８は、読み取り部２０３でこの無音区間が検出されると、モード切換部２０６を、音声収録モードに切り換える（Ｓ３０２）。
そして、音声収録モードにおいて、制御部２０８は、出力端子５０ａを入力端子とみなして、所定の時間、音声収録を行う（Ｓ３０３）。所定の時間は、例えば１秒である。
【００２３】
この音声収録は、スピーカがいわゆる電気音響変換器であって、振動板の振動が電気信号として出力されてマイクロホンとしても機能することを利用している。
具体的には、出力端子５０ａに接続されたヘッドホン５１のスピーカ部５１ａ，５１ｂをマイクロホンとして機能させ、このスピーカ部５１ａ，５１ｂで収集された音声を収録し、収録部２０７の記憶部２０７ａに記憶させるものである。
収録音声の記憶は、アナログ信号として、又はＡ／Ｄ変換を経たデジタル信号として記憶させる。記憶させるデジタル信号は、非圧縮のままでも、また、圧縮したものでもよい。
【００２４】
収録部２０７は、記憶部２０７ａに記憶した収録音声を以下の手順で評価する。
【００２５】
まず、収録音声の信号レベルが、あらかじめ設定した所定値未満（所定値より小さい）か否かを評価する（Ｓ３０４）。
収録音声の信号レベルが所定値以上であれば（Ｓ３０４−Ｎｏ）、ヘッドホン５０が頭部から外されて外部の騒音を収録している状態、つまり非装着状態と判断し、その判断結果を制御部２０８に出力する。
制御部２０８は、この判断結果に基づいて、電源部２０１に対し、電源を切、または省電力モードにするよう指示する（Ｓ３０５）。
【００２６】
また、収録音声の信号レベルが、あらかじめ設定した所定値未満であれば（Ｓ３０４−Ｙｅｓ）、次に、その信号レベルが０（ゼロ）レベル（無信号レベル）であるか否かを判定し（Ｓ３０６）、その判定結果を制御部２０８に出力する。
【００２７】
収録音声の信号レベルが無信号レベルであると判定されたら（Ｓ３０６−Ｙｅｓ）、制御部２０８は、この判定結果に基づいて、電源部２０１に対し、電源を切、または省電力モードにするよう指示する（Ｓ３０５）。
【００２８】
収録音声の信号レベルが無信号レベルではないと判定されたら（Ｓ３０６−Ｎｏ）、制御部２０８は、収録音声を時間領域から周波数領域に変換し、ヘッドホン５０が非装着状態か装着状態かを判別する。
【００２９】
この判別は次の手順で実行される。
【００３０】
ヘッドホン５０を非装着状態で音声を収録すると、スピーカ部５０ｂ，５０ｃにより開放された空間の音が収録される。
一方、ヘッドホン５０を頭部（又は耳部）に装着した状態で音声を収録すると、スピーカ部５０ｂ，５０ｃと、頭部又は耳部（耳介）とにより密閉された空間の音が収録される。この密閉空間の収録音は、開放空間の収録音と比較して、高音域の音圧レベルが低下しており、聴感としてこもった音になる。すなわち、両者の音圧レベルの周波数特性は異なり、特に、高音域について顕著な差が認められる。
【００３１】
図４は、ヘッドホン５０の装着状態と非装着状態とでの収録音声における音圧レベルの周波数特性図である。
この図４からわかるように、Ａ部に示すような、２０ｋＨｚ近傍での音圧レベルにおいて差が顕著である。
具体的には、非装着状態（取り外し時）よりも装着時の方が、音圧レベルが低くなっている。
【００３２】
従って、この特性差を利用し、違いがそれほど顕著ではない周波数領域（中低音域）に対する高音域のパワースペクトルを評価することで、相対的に、このヘッドホン５０が装着状態であるか非装着状態であるかを判定することができる。
【００３３】
実施例において、具体的には、制御部２０８は、収録音声をＦＥＴ変換した周波数領域の高音域ｆｈを２０ｋＨｚ〜２１ｋＨｚとして、その高音域ｆｈのパワースペクトルのピーク値と、他の周波数領域ｆｍを１０ｋＨｚ〜１１ｋＨｚとして、その領域ｆｍのパワースペクトルのピーク値と、の差分が、予め設定されたしきい値以上であるか否かを評価する。
【００３４】
この差分が、しきい値以上であれば、高音域の音圧レベルが低下していてヘッドホン５０が装着状態であると判定し（Ｓ３０７−Ｎｏ）、しきい値未満であれば、高音域の音圧レベルの低下が顕著ではなく、ヘッドホン５０が非装着状態であると判定する（Ｓ３０７−Ｙｅｓ）。
【００３５】
そして、制御部２０８は、ヘッドホン５０が装着状態であると判定したら（Ｓ３０７−Ｎｏ）、装置自体の電源動作を維持し、非装着状態であると判定したら（Ｓ３０７−Ｙｅｓ）、電源部２０１に対し、電源を切、または省電力モードにするよう指示する（Ｓ３０５）。省電力モードは、例えば、次の操作を受け付けるだけの必要最小限の電源のみ供給するモードである。
【００３６】
このような制御部２０８の制御によれば、例えば、楽曲再生中にヘッドホン５０が頭部から外されると、その時点で再生されていた楽曲の再生が終了した際に、電源が切状態、又は省電力モードに自動的に移行するので、電源（バッテリー）の無駄な電力消費を抑制することができる。
【００３７】
実施例のヘッドホン５１のように、そのヘッドホンが２つのスピーカ部（５１ｂ，５１ｃ）を有する場合は、音声の収録は、いずれか一方のスピーカからの音声信号出力を代表として収録してもよい。
また、２つそれぞれ独立に収録した場合は、少なくとも一方が装着状態と判定された場合は使用中と判断し、両方が非装着状態と判定された場合にのみ、電源を切状態、又は省電力モードに移行させるのが望ましい。
【００３８】
また、楽曲再生中にヘッドホン５０のプラグ５０ａが出力端子から抜かれた場合は、収録音声が無音（信号強度のレベルがゼロ）となる。この場合、図３における判定Ｓ３０４はＹｅｓとなり、次の判定Ｓ３０６はＹｅｓとなる。
従って、プラグ５０ａが抜かれた時点で再生していた楽曲の再生が終了すると、ステップＳ３０５により、電源が切状態、又は省電力モードに自動的に移行して、電源（バッテリー）の無断な電力消費を抑制することができる。
【００３９】
判定Ｓ３０６における無音は、完全にゼロでなくてもよく、きわめて小さい値である場合も無音として扱ってよい。
【００４０】
高音域ｆｈ，他の周波数領域ｆｍで設定する周波数帯域や、しきい値などは、この音楽再生装置５０の音響特性、及びヘッドホン５０のスピーカ部５０ｂ，５０ｃの音響特性により最適な値が異なるので、上述した値に限定されるものではない。
【００４１】
また、高音域ｆｈのパワースペクトルのピーク値は、スピーカ部５０ｂ，５０ｃの音響特性や、装着状態で音声を収録する密閉空間の密閉度合いにより異なるので、無音区間で実際に収録された音声に基づいて学習するように構成しておくとより好ましい。
【００４２】
すなわち、上述の例では、楽曲の再生が終了した時点で、制御部によって自動的に音声収録モードに切り換えられるが、接続するヘッドホンの特性に対して、比較する最適な周波数帯域（高音域ｆｈ及び他の周波数領域ｆｍ）や、ピーク値、しきい値などを最適化するために、例えば、異なるヘッドホンを最初に使用する際に、ユーザの指示によって音声収録モードに移行し、ヘッドホンを装着した状態と非装着した状態との双方を、ユーザに対してガイドアナウンスをしつつそれぞれ収録するようにしてもよい。
【００４３】
この動作を最適化モードと称するならば、この最適化モードにより、汎用のヘッドホンを使用した場合はもとより、ヘッドホンの音響特性や装着時のスピーカ部の耳や頭部への密着度合いによらず、精度良く装着／非装着を判定して、情報再生装置自体の電源管理を良好に実行することができる。
【００４４】
本発明の実施例は、上述した構成及び手順に限定されるものではなく、本発明の要旨を逸脱しない範囲において変形例としてもよいのは言うまでもない。
【００４５】
情報再生装置は、実施例で説明した携帯音楽再生装置に限るものではない。
楽曲データは記憶部に記憶されているものに限らない。
テレビやラジオの受信機のように、放送を受信して音声信号を出力するものにも適用できるのは言うまでもない。
画像も再生可能な映像／音声再生装置であってもよく、ラジオ装置、テレビジョン装置，ゲーム機，パーソナルコンピュータ，ディスク再生装置，画像表示装置，及び携帯電話など種々の電子機器が該当する。もちろん、楽曲について再生専用のものでも楽曲を記録（記憶）可能なものであってもよい。
【００４６】
上述した実施例においては、指定した楽曲の再生が終了した後に、無音区間を検出して音声収録モードに移行する構成を説明したが、指定した楽曲内に所定の無音区間が存在する場合には、再生の終了を待たずしてこの無音区間を検出して音声収録モードに移行してもよい。
これにより、指定した楽曲が長い場合などに、途中でヘッドホンが非装着になったことを、楽曲の最後まで再生せずに途中で検出することができるので、無駄な電力消費がさらに抑制されてより好ましい。
【図面の簡単な説明】
【００４７】
【図１】本発明の情報再生装置の実施例と、それに接続されたヘッドホンとを示す図である。
【図２】本発明の情報再生装置の実施例を説明するためのブロック図である。
【図３】本発明の情報再生装置の実施例の動作を説明するためのフローチャートである。
【図４】本発明の情報再生装置の実施例における音声収録モードで収録した音声を説明するための周波数特性図である。
【符号の説明】
【００４８】
５０  携帯音楽再生装置（情報再生装置）
５０ａ  出力端子
５０ｂ  音声出力部
５１  ヘッドホン
５１ａ  プラグ
５１ｂ，５１ｃ  スピーカ部
２０１  電源部
２０２  記憶部
２０３  読み取り部
２０４  復号部
２０５  Ｄ／Ａ変換部
２０６  モード切換部
２０７  収録部
２０７ａ  記憶部
２０８  制御部
２０９  入力操作部
２１０  Ａ／Ｄ変換部
ｆｈ  高音域
ｆｍ  他の周波数領域
【図１】
2009238354.tif 000003
【図２】
2009238354.tif 000004
【図３】
2009238354.tif 000005
【図４】
2009238354.tif 000006